(57)【要約】【課題】装用時において、こもりを低減するとともに、周辺音を自然な感じでユーザーに聴かせる。【解決手段】ユーザーの外耳道に挿入されるイヤーピースを含むハウジングと、当該ハウジングに設けられ、外耳道の外側における周辺音を収音するマイク１１０と、当該ハウジングに設けられ、外耳道内の音を収音するマイク１５０と、当該ハウジングに設けられ、外耳道に向けて放音するスピーカー１４０と、マイク１１０の収音信号に対して低域の音量を高域の音量よりも相対的に高める低域ブースター１２０と、マイク１５０の収音信号に基づく信号の逆相信号を生成する逆相信号生成回路１５８と、低域ブースター１２０の出力信号と、目的音を示す目的信号と、逆相信号とを加算してスピーカー１４０に向けて出力する加算器１３０と、を含む。【選択図】図１
2019075602.tif 000002
【特許請求の範囲】
【請求項１】
ユーザーの外耳道に挿入されるイヤーピースを含む筐体と、
前記筐体に設けられ、前記外耳道の外側における周辺音を収音する第１マイクと、
前記筐体に設けられ、前記外耳道内の音を収音する第２マイクと、
前記筐体に設けられ、前記外耳道に向けて放音するスピーカーと、
前記第１マイクの収音に基づく第１信号に対して低域の音量を高域の音量よりも相対的に高める低域ブースターと、
前記第２マイクの収音に基づく第２信号の逆相信号を生成する逆相信号生成回路と、
前記低域ブースターの出力信号と、目的音を示す目的信号と、前記逆相信号とを加算して前記スピーカーに向けて出力する加算器と、
を含むイヤホン。
【請求項２】
前記第１信号に所定の周波数以上の高域を持ち上げるイコライザーを備え、
前記イコライザーの出力信号が前記低域ブースターに入力される
ことを特徴とする請求項１に記載のイヤホン。
【請求項３】
前記低域ブースターに入力される信号または前記低域ブースターから出力される信号と前記目的信号とを加算した信号に、前記スピーカーから前記第２マイクまでの音の伝達経路を模した特性を付与するフィルターと、
前記第２マイクの収音信号から前記フィルターの出力信号を減じ、前記第２信号として逆相信号生成回路に供給する減算器と、
を有する請求項１または２に記載のイヤホン。
【請求項４】
ユーザーの外耳道に挿入されるイヤーピースを含む筐体と、
前記筐体に設けられ、前記外耳道の外側における周辺音を収音する第１マイクと、
前記筐体に設けられ、前記外耳道内の音を収音する第２マイクと、
前記筐体に設けられ、前記外耳道に向けて放音するスピーカーと、
を有するイヤホンの信号処理方法であって、
前記第１マイクの収音に基づく第１信号に対して低域の音量を高域の音量よりも相対的に高め、
前記第２マイクの収音に基づく第２信号の逆相信号を生成し、
前記低域を高めた信号と、目的音を示す目的信号と、前記逆相信号とを加算して前記スピーカーに向けて出力する
イヤホンの信号処理方法。
【発明の詳細な説明】
【技術分野】
【０００１】
本発明は、例えばイヤホンおよびイヤホンの信号処理方法に関する。
【背景技術】
【０００２】
イヤホンにおいて、ヒアスルーの機能を持たせたい、という要望がある。ヒアスルーとは、ユーザーがイヤホンを装用していても、あたかもイヤホンが非装用であるかのように周辺音を聴くことができる機能をいう。
一方、ユーザーの外耳道が閉塞されるようにイヤホンが装用されると、当該ユーザーは、音楽プレーヤなどの外部端末から供給される目的の音（以下、「目的音」と称呼する）を、こもりがちに、具体的には低域側が強調された状態で知覚してしまう。
このため近年では、上記こもりを低減しつつ、ヒアスルーの機能を実現するための技術が提案されている（例えば特許文献１参照）。
【先行技術文献】
【特許文献】
【０００３】
【特許文献１】特表２０１５−５３７４６５号公報
【発明の概要】
【発明が解決しようとする課題】
【０００４】
ところで、上記技術では、こもりが低減されるものの、ユーザーがイヤホンを装用した状態では、周辺音、時に他者と会話したときに当該他者や自身の音声が不自然に聴こえる、という問題が指摘された。
本発明は、上述した事情に鑑みてなされたもので、その目的とするところは、装用時において、こもりが低減されるとともに、周辺音を自然な感じで聴くことのできる技術を提供することにある。
【課題を解決するための手段】
【０００５】
上記目的を達成するために、本発明の一態様に係るイヤホンは、ユーザーの外耳道に挿入されるイヤーピースを含む筐体と、前記筐体に設けられ、前記外耳道の外側における周辺音を収音する第１マイクと、前記筐体に設けられ、前記外耳道内の音を収音する第２マイクと、前記筐体に設けられ、前記外耳道に向けて放音するスピーカーと、前記第１マイクの収音に基づく第１信号に対して低域の音量を高域の音量よりも相対的に高める低域ブースターと、前記第２マイクの収音に基づく第２信号の逆相信号を生成する逆相信号生成回路と、前記低域ブースターの出力信号と、目的音を示す目的信号と、前記逆相信号とを加算して前記スピーカーに向けて出力する加算器と、を含む。
この一態様に係るイヤホンによれば、装用時において、こもりを低減するとともに、周辺音を自然な感じで聴かせることが可能となる。
【図面の簡単な説明】
【０００６】
【図１】第１実施形態に係るイヤホンの構成を示すブロック図である。
【図２】イヤホンの構造を示す図である。
【図３】イヤホンの装用状態を示す図である。
【図４】イヤホンの装用状態における音の伝達を示す図である。
【図５】イヤホンにおけるイコライザー（１）の特性を説明するための図である。
【図６】イヤホンにおける低域ブースターの特性説明するための図である。
【図７】第２実施形態に係るイヤホンの構成を示すブロック図である。
【発明を実施するための形態】
【０００７】
以下、本発明の実施形態について図面を参照して説明する。
【０００８】
＜第１実施形態＞
図１は、第１実施形態に係るイヤホン１０ａの構成を示すブロック図である。この図に示されるように、イヤホン１０ａは、マイク１１０、１５０、アンプ１１２、１３４、１５２、ＡＤＣ１１４、１５４、イコライザー１１６、１２６、低域ブースター１２０、ＡＩＦ１２２、加算器１２８、１３０、フィルター１２９、ＤＡＣ１３２、スピーカー１４０、減算器１５６、および、逆相信号生成回路１５８を含む。なお、イヤホン１０ａがユーザーに装用されたとき、スピーカー１４０の放音方向が、当該ユーザーの外耳道に向かう方向に配置され、マイク１５０は、スピーカー１４０の放音方向であって、外耳道と音響結合された空間に配置される。
【０００９】
マイク１１０（第１マイク）は、イヤホン１０ａを装用するユーザーの周辺音を収音する。アンプ１１２は、マイク１１０により収音された信号（第１信号）を増幅し、ＡＤＣ（Analog to Digital Converter）１１４は、アンプ１１２による増幅された信号をデジタル信号に変換する。
イコライザー１１６は、ＡＤＣ１１４の出力信号に補正処理を、例えば高域を持ち上げる処理を施し、当該処理を施した信号を低域ブースター１２０および加算器１２８における第１入力端にそれぞれ供給する。なお、イコライザー１１６は、イコライザー１２６と区別するために図１において「イコライザー（１）」と表記されている。
低域ブースター１２０は、イコライザー１１６により補正処理された信号に、低域の音量を持ち上げる処理を施し、当該処理を施した信号を、加算器１３０の第１入力端に供給する。
【００１０】
ＡＩＦ（Audio InterFace）１２２は、ユーザーに聴かせる音（目的音）の信号を、外部端末２００から無線により受信するインターフェイスである。なお、目的音は、例えば外部端末２００で再生された音楽信号などである。また、ＡＩＦ１２２は、目的音の信号を無線ではなく有線で受信する構成としても良い。
イコライザー１２６は、ＡＩＦ１２２で受信された目的音の信号に、ユーザーにより設定または選択された周波数特性を付与するなど、音質を整える処理を施し、当該処理を施した信号を、加算器１２８の第２入力端および加算器１３０の第２入力端にそれぞれ供給する。なお、イコライザー１２６は、イコライザー１１６と区別するために図１において「イコライザー（２）」と表記されている。
【００１１】
加算器１３０は、第１入力端、第２入力端および第３入力端のそれぞれに供給された信号同士を加算して、ＤＡＣ（Digital to Analog Converter）１３２に供給する。ＤＡＣ１３２は、加算器１３０によって加算された信号をアナログに変換し、アンプ１３４は、ＤＡＣ１３２により変換された信号を増幅する。スピーカー１４０は、アンプ１３４により増幅された信号を空気の振動、すなわち音に変換して出力する。
【００１２】
マイク１５０（第２マイク）は、スピーカー１４０の近傍に設けられて、当該スピーカー１４０から出力された音など、ユーザーの外耳道内における音を収音する。ここで、スピーカー１４０からマイク１５０に至るまでの伝達特性をＣと表すことにする。アンプ１５２は、マイク１５０により収音された信号（第２信号）を増幅し、ＡＤＣ１５４は、アンプ１５２により増幅された信号をデジタル信号に変換して、減算器１５６に供給する。
【００１３】
一方、加算器１２８は、第１入力端および第２入力端のそれぞれに供給された信号同士を加算して、当該加算信号をフィルター１２９に供給し、フィルター１２９は、畳み込み演算などによって当該加算信号に伝達関数Ｃを付与して、減算器１５６に供給する。このため、フィルター１２９の出力信号は、イコライザー１１６、１２６により補正処理された信号同士の加算信号、すなわち、マイク１１０で収音された周辺音と目的音を調整した音とを加算した音の信号が、仮にスピーカー１４０から発せられた場合に、マイク１５０で収音されるであろう外耳道での音を模擬した信号となる。
減算器１５６は、ＡＤＣ１５４によるデジタル信号から、フィルター１２９による出力信号を減算して、逆相信号生成回路１５８に供給する。
【００１４】
逆相信号生成回路１５８は、端的にいえば、ＡＮＣ（Active Noise Control）フィルターであり、減算器１５６による減算信号の位相を反転させた関係にあって、音量（振幅）がほぼ等しい逆相信号を生成する。換言すれば、逆相信号生成回路１５８は、減算器１５６による減算信号を誤差信号とした場合に、当該誤差信号を最小とするような逆相信号を生成する。
【００１５】
図２は、イヤホン１０ａの構造を示す図である。
この図に示されるようにイヤホン１０ａは、カナル型であり、ハウジング（筐体）１６０およびイヤーピース１８０を含む。
ハウジング１６０は、概略筒状である。ハウジング１６０の内部空間には、スピーカー１４０、マイク１１０および１５０が設けられる。詳細には、ハウジング１６０の内部空間において、スピーカー１４０は、放音面が外耳道に向かう方向に取り付けられ、マイク１５０は、スピーカー１４０よりも外耳道寄り（図において右側）に取り付けられる。なお、ハウジング１６０には、装用時において、スピーカー１４０よりも外耳道寄りの内部空間を、外部と通気させる通気孔１６８が１または複数設けられる。
一方、マイク１１０は、ハウジング１６０の内部空間においてスピーカー１４０を基準としてみたときに、マイク１５０と反対側に設けられる。
【００１６】
イヤーピース１８０は、ポリビニルやスポンジなどの弾力性を有する素材により、開口部１８６で開口する中空の砲弾形に成形されて、ハウジング１６０の外耳道側に対し着脱自在となっている。イヤーピース１８０がハウジング１６０に取り付けられた状態では、開口部１８６がハウジング１６０の内部空間に連通する。
【００１７】
なお、図１で示したイヤホン１０ａの構成する要素のうち、マイク１１０、１５０およびスピーカー１４０以外の要素については、ハウジング１６０の内部空間、例えばマイク１１０の近傍に設けられるが、図２では省略されている。
【００１８】
図３は、イヤホン１０ａの装用状態を示す図であり、詳細には、イヤホン１０ａがユーザーＷの右耳に装用された状態を示す図である。この図に示されるように、イヤホン１０ａのイヤーピース１８０が外耳道３１４に挿入される。詳細には、開口部１８６が鼓膜３１２に向かう方向に、イヤーピース１８０が外耳道３１４に挿入される一方で、ハウジング１６０の一部が外耳道３１４から露出した状態となる。
【００１９】
次に、イヤホン１０ａの動作の概要について、イコライザー１１６および低域ブースター１２０を考慮しない状態で説明する。
図３に示されるようにイヤホン１０ａがユーザーＷに装用された場合、マイク１１０で収音された周辺音の信号と、外部端末２００から供給された目的音の信号とは、加算器１３０によって加算されて、スピーカー１４０によって発音される。スピーカー１４０から発せられた音は、外耳道３１４を介して鼓膜３１２に達し、ユーザーＷに知覚される。
【００２０】
一方、イヤホン１０ａが装用されると、外耳道３１４はイヤーピース１８０で閉塞される。このため、マイク１５０は、イヤーピース１８０の開口部１８６を介して、当該閉塞された外耳道３１４で発生している音を収音することになる。
なお、外耳道３１４で発生している音には、スピーカー１４０から発せられた音の成分だけでなく、スピーカー１４０で発せられた音以外に起因する音の成分（単に「ノイズ」という場合がある）が含まれる。このうち、スピーカー１４０から発せられた音の成分とは、具体的には、マイク１１０で収音された周辺音と、外部端末２００から供給された目的音とである。ノイズとは、マイク１５０で収音されるが、スピーカー１４０で発せられた音以外に起因した音の成分である。
【００２１】
減算器１５６では、マイク１５０で収音された信号から、マイク１１０で収音された周辺音に基づく信号と、外部端末２００から供給される目的音に基づく信号との加算信号に伝達関数Ｃを付与した信号の成分が減算される。このため、逆相信号生成回路１５８に入力される誤差信号は、スピーカー１４０で発せられた音以外のノイズの成分を示すことになる。
加算器１３０によって、周辺音の信号と、目的音の信号と、逆相信号生成回路１５８による逆相信号とが加算されて、スピーカー１４０から発せられると、外耳道３１４におけるノイズは、当該逆相信号に基づく音の成分によって打ち消される（キャンセルされる）。このため、ユーザーＷは、ノイズが抑えられた状態で周辺音と目的音とを知覚することができる。
【００２２】
以上がイヤホン１０ａの動作概要であるが、実際には、イコライザー１１６や低域ブースター１２０を考慮しない場合、周辺音、具体的には他者と会話したときに当該他者や自身の音声が不自然に聴こえる場合がある。特に、イヤーピース１８０や通気孔１６８の通気量等によって密閉性が低い場合に、不自然に聴こえる傾向がある。
【００２３】
カナル型のイヤホン１０ａがユーザーＷに装用されると、イヤーピース１８０で閉塞されるので、外耳道３１４は一種の密閉空間となる。このため、当該外耳道では、数１００Ｈｚ以下の低域が増幅されることになり、当該低域の音量が大きくなって、ユーザーは、こもりとして知覚する。ユーザーがこもりを知覚すると、特に会話時に自身が発生する音声が不自然に聴こえるので（フィードバックして聴く自声が変調をきたしているので）、発声が困難になる。
こもりは、外耳道３１４の密閉性が高いほど、強調される傾向にあるので、本実施形態に係るイヤホン１０ａでは、通気孔１６８の孔径および数の調整や、イヤーピース１８０の素材の選定などにより、こもりを低く抑えている。
【００２４】
イヤホン１０ａにおける音の伝達について検討する。イヤホン１０ａが図３に示されるように装用された場合に、マイク１１０および１５０は、次のような経路で伝達した音をそれぞれ収音する。
【００２５】
図４は、イヤホン１０ａの装用状態における音の伝達経路を説明するための図である。
経路（ａ）は、マイク１１０が音源Ｘからの周辺音を直接収音する経路である。なお、音源Ｘには、イヤホン１０ａを装用するユーザーＷが発した声のうち、空気を伝搬した成分、および、およびユーザーＷ以外の他者が発した声が含まれる。マイク１５０は、主に経路（ｂ）および（ｃ）で伝達した音を収音する。詳細には、経路（ｂ）は、音源Ｘからの周辺音のうち、通気孔１６８や、イヤーピース１８０とユーザーＷの皮膚との隙間などを介して、外耳道３１４に位置するマイク１５０に到達する経路である。経路（ｂ’）は、音源Ｘからの周辺音のうち、ユーザーＷの皮膚や骨などを介して、マイク１５０に到達する経路である。なお、経路（ｂ）と経路（ｂ’）とを厳密に区別する必要はないので、以降において経路（ｂ）は、経路（ｂ’）を含むものとして説明する。経路（ｃ）は、外耳道３１４においてスピーカー１４０から発せられた音をマイク１５０が収音する経路である。
なお、イヤホン１０ａの装用時に、マイク１５０は閉塞された外耳道３１４に位置するので、当該マイク１５０により収音される音は、鼓膜３１２の振動によりユーザーＷが知覚する音とほぼ等しい。
【００２６】
図４において、音源Ｘからの周辺音は、経路（ａ）および経路（ｃ）の２経路（マイク１１０およびスピーカー１４０を介した経路）と、経路（ｂ）とでユーザーＷの鼓膜３１２およびマイク１５０にそれぞれ到達する。
マイク１１０が収音した周辺音の周波数特性、すなわち経路（ａ）で収音された音の周波数特性が、図５において実線で示されるように正規化された音量０ｄＢでフラットである場合、経路（ｂ）で鼓膜３１２に到達した周辺音の周波数特性は、図５において点線で示されるように、高域側で減衰する。
【００２７】
ユーザーＷは、イヤホン１０ａを装用した場合、音源Ｘからの周辺音を、経路（ａ、ｃ）と、経路（ｂ）との双方を経由した音の合算で知覚するので、このままでは、経路（ａ、ｃ）側で高域が減衰した分だけ、音源Ｘからの周辺音が不自然に聴こえてしまうことになる。
そこで、イコライザー１１６は、マイク１１０が経路（ａ）にて周辺音を収音した信号の高域側を持ち上げる処理を施す。当該処理により、スピーカー１４０から経路（ｃ）にて鼓膜３１２に到達する音の高域側が持ち上げられるので、経路（ｂ）を経由した音と合算されると、結果的に音量０ｄＢでほぼフラットになり、ユーザーＷに、周辺音Ｘを自然な感じで知覚させることができる。
なお、ここで説明したイコライザー１１６の処理については、低域ブースター１２０が存在せず、逆相信号生成回路１５８によるノイズキャンセルが動作していないものとしている。
【００２８】
そこで次に、逆相信号生成回路１５８によるノイズキャンセルが動作している場合について検討する。
本実施形態において、逆相信号生成回路１５８は、入力である誤差信号が最小となるように逆相信号を生成する。マイク１５０の収音信号には、スピーカー１４０から発せられる音、すなわち、経路（ｃ）で伝達した音の成分のみならず、経路（ｂ）で伝達した音の成分が含まれる。逆相信号生成回路１５８に入力される誤差信号は、経路（ｃ）で伝達する音の成分が減算器１５６によって予め除かれているので、ほぼ経路（ｂ）で伝達した音の成分を表していることになる。
【００２９】
音源Ｘから経路（ｂ）でマイク１５０に到達したときの音の周波数特性は、上述したように高域側で減衰するので、相対的にいえば、低域側が強調されていることになる。このような低域側が強調された信号が誤差信号として逆相信号生成回路１５８に入力されると、逆相信号は、逆に低域を抑圧するような信号となる。すなわち、当該逆相信号が、同じ音源Ｘからの周辺音をマイク１１０で収音した信号に加算されると、当該加算信号の低域側が減衰してしまう。
【００３０】
このため、ノイズキャンセルが動作している場合に、ユーザーＷ自身や他者が発した声などの周辺音は、スピーカー１４０から低域側が減衰された状態で発せられるので、ユーザーＷに知覚される周辺音が不自然になってしまう。
【００３１】
マイク１１０の収音信号が、逆相信号と加算されたときに、低域側が減衰してしまうのであれば、逆相信号との加算前に、マイク１１０の収音信号の低域側を予め持ち上げておけば、加算による低域側の減衰が補償されることになる。そこで本実施形態では、低域ブースター１２０が、当該低域ノイズキャンセルが動作している場合に、マイク１１０の収音信号の低域側を持ち上げる処理を実行する。
【００３２】
具体的には、低域ブースター１２０が存在しない場合に、イコライザー１１６の出力信号が、逆相信号との加算によって図６の点線で示されるように低域側で減衰する場合、低域ブースター１２０は、低域側を高域側よりも相対的に持ち上げるように処理して、逆相信号と加算したときに、結果的に、同図の実線で示されるようにフラットな特性にする。
このような低域ブースター１２０を有するイヤホン１０ａによれば、ノイズキャンセルが動作している場合に、マイク１１０の収音信号が逆相信号と加算されても、低域側が減衰することなく、フラットな特性に近づくので、ユーザーＷに自然な周辺音を知覚させることが可能となる。
【００３３】
第１実施形態に係るイヤホン１０ａでは、加算器１２８の第１入力端に、イコライザー１１６により補正処理された信号が供給される構成としたが、低域ブースター１２０からの出力信号が供給される構成としても良い。その他、線形性が維持される範囲でイヤホン１０ａの変更が可能である。
【００３４】
＜第２実施形態＞
第１実施形態では、逆相信号生成回路１５８に供給する誤差信号から、ユーザーＷに聴かせるべき周辺音および目的音を加算した音の信号に伝達特性Ｃを付与した信号を減じて、ノイズキャンセルの対象から周辺音および目的音の加算音を除く構成とした。
この構成では、フィルター１２９では、畳み込み演算のように複雑な処理が必要となるだけでなく、加算器１２８および減算器１５６も必要となる。そこで、このような複雑な処理等を必要としない第２実施形態について説明する。
【００３５】
図７は、第２実施形態に係るイヤホン１０ｂの構成を示すブロック図である。この図に示されるように、イヤホン１０ｂは、イヤホン１０ａと比較して、加算器１２８、フィルター１２９および減算器１５６を有さず、ＡＤＣ１５４によるデジタル信号がそのまま逆相信号生成回路１５８に供給される構成となっている。
【００３６】
イヤホン１０ｂでは、周辺音および目的音を加算した音もノイズキャンセルの対象になるので、ユーザーＷに知覚される周辺音および目的音の品質は、第１実施形態と比較して低下する。
しかしながら、イヤホン１０ｂにおいても、イコライザー１１６および低域ブースター１２０を有するので、ユーザーＷに自然な周辺音を知覚させることが可能となる。また、イヤホン１０ｂは、イヤホン１０ａと比較して、処理が簡略化されるので、回路スペースや、電池消費量などの面において有利となる。
【００３７】
＜応用例・変形例＞
なお、第１実施形態（第２実施形態）では、右耳に装用されるイヤホン１０ａ（１０ｂ）を例にとって説明したが、左耳に装用されても良い。
また、同じ構成のイヤホン１０ａ（１０ｂ）を２個用意して、右耳に一方を、左耳に他方をそれぞれ装用させるとともに、左耳用に装用されるイヤホン１０ａ（１０ｂ）にステレオの左信号が、右耳用に装用されるイヤホン１０ａ（１０ｂ）にステレオの右信号が、それぞれ外部端末２００から供給される構成としても良い。
【００３８】
外部端末２００に、目的音を示す信号をイヤホン１０ａに供給する機能とは別の機能を持たせても良い。例えば、外部端末２００に、イコライザー１２６の周波数特性を調整・設定する機能を持たせても良いし、複数の周波数特性をプリセットさせておき、ユーザーＷによりいずれかの特性が選択されたときに、選択された特性がイコライザー１２６にセットされる構成としても良い。
【００３９】
＜付記＞
上述した第１実施形態および第２実施形態等から、例えば以下のような態様が把握される。
【００４０】
＜態様１＞
本発明の好適な態様１に係るイヤホンは、ユーザーの外耳道に挿入されるイヤーピースを含む筐体と、前記筐体に設けられ、前記外耳道の外側における周辺音を収音する第１マイクと、前記筐体に設けられ、前記外耳道内の音を収音する第２マイクと、前記筐体に設けられ、前記外耳道に向けて放音するスピーカーと、前記第１マイクの収音に基づく第１信号に対して低域の音量を高域の音量よりも相対的に高める低域ブースターと、前記第２マイクの収音に基づく第２信号の逆相信号を生成する逆相信号生成回路と、前記低域ブースターの出力信号と、目的音を示す目的信号と、前記逆相信号とを加算して前記スピーカーに向けて出力する加算器と、を含む。
態様１に係るイヤホンによれば、装用時において、こもりを低減するとともに、周辺音を自然な感じでユーザーに聴かせることが可能となる。
【００４１】
＜態様２＞
態様２に係るイヤホンは、態様１に係るイヤホンにおいて、前記第１信号に所定の周波数以上の高域を持ち上げるイコライザーを備え、前記イコライザーの出力信号が前記低域ブースターに入力される。
態様２に係るイヤホンによれば、周辺音がより自然な感じでユーザーに聴かせることが可能となる。
【００４２】
＜態様３＞
態様３に係るイヤホンは、態様１または２に係るイヤホンにおいて、前記低域ブースターに入力される信号または前記低域ブースターから出力される信号と前記目的信号とを加算した信号に、前記スピーカーから前記第２マイクまでの音の伝達経路を模した特性を付与するフィルターと、前記第２マイクの収音信号から前記フィルターの出力信号を減じ、前記第２信号として逆相信号生成回路に供給する減算器と、を有する。
態様３に係るイヤホンによれば、ユーザーに知覚される周辺音および目的音の品質を高めることができる。
【００４３】
＜態様４＞
態様４に係るイヤホンの信号処理方法は、ユーザーの外耳道に挿入されるイヤーピースを含む筐体と、前記筐体に設けられ、前記外耳道の外側における周辺音を収音する第１マイクと、前記筐体に設けられ、前記外耳道内の音を収音する第２マイクと、前記筐体に設けられ、前記外耳道に向けて放音するスピーカーと、を有するイヤホンの信号処理方法であって、前記第１マイクの収音に基づく第１信号に対して低域の音量を高域の音量よりも相対的に高め、前記第２マイクの収音に基づく第２信号の逆相信号を生成し、前記低域を高めた信号と、目的音を示す目的信号と、前記逆相信号とを加算して前記スピーカーに向けて出力する。
態様４に係るイヤホンの信号処理方法によれば、装用時において、こもりを低減するとともに、周辺音を自然な感じでユーザーに聴かせることが可能となる。
【符号の説明】
【００４４】
１０ａ、１０ｂ…イヤホン、１１０…マイク（第１マイク）、１１６…イコライザー、１２０…低域ブースター、１２８、１３０…加算器、１２９…フィルター、１４０…スピーカー、１５０…マイク（第２マイク）、１５６…減算器、１５８…逆相信号生成回路、２００…外部端末。
【図１】
2019075602.tif 000003
【図２】
2019075602.tif 000004
【図３】
2019075602.tif 000005
【図４】
2019075602.tif 000006
【図５】
2019075602.tif 000007
【図６】
2019075602.tif 000008
【図７】
2019075602.tif 000009